(57)【要約】【課題】時計ケースや時計バンドのデザインによらず、既存のバネ棒を使用することができ、汎用性に富み、コストを低減することができる時計のバンド連結部材を提供する。【解決手段】バンド取付部を備える時計ケースと、時計バンドとを取り付けるための時計のバンド連結部材であって、バンド連結部材は、バネ棒と、該バネ棒の両端部がそれぞれ挿入される挿入孔を有した２つの装飾部材からなり、装飾部材には、フランジ部を形成する。【選択図】図１
2010119586.tif 000002
【特許請求の範囲】
【請求項１】
バンド取付部を備える時計ケースと、時計バンドとを取り付けるための時計のバンド連結部材であって、
前記バンド連結部材は、バネ棒と、該バネ棒の両端部がそれぞれ挿入される挿入孔を有した２つの装飾部材からなり、
前記装飾部材には、フランジ部が形成されていることを特徴とするバンド連結部材。
【請求項２】
前記フランジ部に、少なくとも１つの溝が形成されていることを特徴とする請求項１に記載のバンド連結部材。
【請求項３】
前記溝のうちの少なくとも１つに、固定用部材が取り付けられていることを特徴とする請求項２に記載のバンド連結部材。
【請求項４】
前記固定用部材が、固定用パッキン若しくはワッシャーであることを特徴とする請求項３に記載のバンド連結部材。
【請求項５】
前記装飾部材が、時計ケースと同一の素材によって構成されていることを特徴とする請求項１から４のいずれかに記載のバンド連結部材。
【請求項６】
前記装飾部材が、金、銀、白金、ステンレス、チタン、チタン合金、黄銅、セラミック、宝石のうち、少なくともいずれかによって構成されていることを特徴とする請求項１から４のいずれかに記載のバンド連結部材。
【請求項７】
前記装飾部材の表面が、金属被膜処理もしくは非金属被膜処理によって表面処理されていることを特徴とする請求項１から６のいずれかに記載のバンド連結部材。
【請求項８】
請求項１から７のいずれかに記載のバンド連結部材を備えることを特徴とする時計。
【請求項９】
前記時計の時計ケースに備わるバンド取付部には、前記フランジ部と嵌合する段付き孔が形成されていることを特徴とする請求項８に記載の時計。
【請求項１０】
前記時計の時計ケースに備わるバンド取付部には、段付き孔が形成されており、前記フランジ部と嵌合して固定する嵌合部材が前記段付き孔に挿着されていることを特徴とする請求項８または９に記載の時計。
【請求項１１】
前記嵌合部材が、固定用パッキンであることを特徴とする請求項１０に記載の時計。
【請求項１２】
前記時計が、腕時計であることを特徴とする請求項８から１１のいずれかに記載の時計。
【発明の詳細な説明】
【技術分野】
【０００１】
本発明は、例えば、腕時計などの時計ケースと、時計バンドとを取り付けるバンド連結部材およびこのバンド連結部材を備える時計に関する。
【背景技術】
【０００２】
従来より、腕時計の時計ケースと時計バンドを取り付ける場合には、棒内部にバネを備え、棒の両端部において外側方向に付勢力を有するバネ棒と呼ばれる部材を用いて、図１０に示すように時計ケース１０１と時計バンド１０２を連結している。
【０００３】
なお、符号１００は、全体で従来の腕時計を示している。
この際に、バネ棒１０３の両端部は時計ケース１０１のバンド取付部１０４に設けられた貫通孔１０５の内方に挿入されるようにして取り付けられる。
【０００４】
また、貫通孔１０５の外方には、貫通孔１０５を埋めるための装飾部材１０８が、圧入や接着といった方法によって固定されている。
また、特許文献１（実公平４−４４０９９号公報）には、図１１に示すような、腕時計ケースの胴２０１のかん穴２０１ｂからばね棒２０３の両端部に設けられたピン部材２０２の先端部を露出させた連結構造を備えた腕時計２００が開示されている。
【０００５】
このように、ばね棒２０３の両端部にピン部材２０２を一体として構成し、このピン部材２０２の先端部を露出させることによって、腕時計のかん（脚部）２０１ａを細くすることができるとともに、ピン部材２０２が加飾要素として視認者によって視認されることになっている。
【０００６】
また、特許文献２（特開２００７−９３２１８号公報）には、図１２に示すような、時計ケース３０１のバンド取付部３０４に、時計バンド３０２に設けられたばね棒３０６の両端側の連結ピン３０６ｂが挿入する取付孔３０８を対向させて設け、この取付孔３０８に軟質部材３０９をそれぞれ嵌着させるとともに、この軟質部材３０９にばね棒３０６の連結ピン３０６ｂが圧入する挿入穴３１０をそれぞれ設けた連結構造を備えた腕時計３００が開示されている。
【０００７】
このように構成することによって、ばね棒３０６の両端部がバンド取付部３０４の取付孔３０８内に直接挿入せず、バンド取付部３０４の取付孔３０８に嵌着された軟質部材３０９の挿入穴３１０に圧入されるため、この軟質部材３０９の弾力によってばね棒３０６をバンド取付部３０４にガタつくことなく取り付けることができる。
【特許文献１】実公平４−４４０９９号公報
【特許文献２】特開２００７−９３２１８号公報
【発明の開示】
【発明が解決しようとする課題】
【０００８】
しかしながら、特許文献１に記載の連結構造では、ばね棒２０３とピン部材２０２を一体として作製することになるため、時計ケースや時計バンドのデザイン毎にバネ棒を設計・作製しなければならなく、汎用性に欠けるものであった。
【０００９】
また、ピン部材２０２はばね棒２０３の付勢力によって時計ケースと時計バンドを連結するものであるため、ピン部材２０２が外部から力が加わることによって、ピン部材２０２がかん穴２０１ｂから簡単に脱落してしまうことがあった。
【００１０】
また、特許文献２に記載の連結構造は、ゴムやエラストマーなどの軟質部材３０９を用いているため、外部から多大な力が加わった場合には、軟質部材３０９自体が変形することがあり、また、軟質部材３０９が変形することによって時計ケース３０１から軟質部材３０９が外れてしまうこともあった。
【００１１】
さらには、ゴムやエラストマーといった軟質部材３０９を用いており、視認者によってこの軟質部材３０９が視認されることになるため、腕時計自体の高級感が損なわれてしまっていた。
【００１２】
本発明は、このような現状に鑑み、時計ケースや時計バンドのデザインによらず、既存のバネ棒を使用することができ、汎用性に富み、コストを低減することができる時計のバンド連結部材を提供することを目的とする。
【００１３】
また、バネ棒の両端部に外部から力が加わった場合でも、時計ケースから脱落しづらい時計のバンド連結部材を提供することを目的とする。
さらに、時計ケースや時計バンドのデザインに応じて、装飾部材を選択することができ、時計自体のデザインバリエーションの拡大が図れ、また、時計自体の高級感を損なうことのない時計のバンド連結部材を提供することを目的とする。
【課題を解決するための手段】
【００１４】
本発明は、前述したような従来技術における課題及び目的を達成するために発明されたものであって、本発明のバンド連結構造は、
バンド取付部を備える時計ケースと、時計バンドとを取り付けるための時計のバンド連結部材であって、
前記バンド連結部材は、バネ棒と、該バネ棒の両端部がそれぞれ挿入される挿入孔を有した２つの装飾部材からなり、
前記装飾部材には、フランジ部が形成されていることを特徴とする。
【００１５】
このように本発明のバンド連結部材は、時計ケースと時計バンドとを連結するためのバンド連結部材がバネ棒と２つの装飾部材に分割されているため、時計ケースや時計バンドのデザインに合わせて装飾部材を設計・作製すればよく、既存のバネ棒を利用することができるので、部品の汎用性に富み、コストを低減することができる。
【００１６】
また、装飾部材がバネ棒とは別体として構成されているため、時計ケースや時計バンドのデザインに応じて、装飾部材を選択することができるので、時計自体のデザインバリエーションの拡大が図れ、また、時計自体の美観や高級感に優れた時計とすることができる。
【００１７】
さらに、装飾部材にフランジ部が形成されることによって、装飾部材はバンド取付部に形成される段付き孔の段部と係合し、バネ棒の付勢力によってフランジ部が段付き孔の段部を押圧した状態で取り付けられるので、時計ケースと時計バンドを適確に連結することができる。
【００１８】
また、本発明のバンド連結部材は、前記フランジ部に、少なくとも１つの溝が形成されていることを特徴とする。
このように、フランジ部に少なくとも１つの溝を形成することによって、本発明のバンド連結部材の装飾部材を時計ケースのバンド取付部に取り付ける作業を行う場合に、ピンセットなどの挟持具を用いて、この溝を挟持することによって、装飾部材の表面に傷をつけることなく取付作業を行うことができる。
【００１９】
また、本発明のバンド連結部材は、前記溝のうちの少なくとも１つに、固定用部材が取り付けられていることを特徴とする。
また、本発明のバンド連結部材は、前記固定用部材が、固定用パッキンもしくはワッシャーであることを特徴とする。
【００２０】
このように、装飾部材の溝に固定用パッキンやワッシャーなどの固定用部材を取り付けることによって、装飾部材を時計ケースのバンド取付部に設けられた段付き孔に挿入するように取り付けられた場合に、装飾部材とバンド取付部とが固定され、容易に外れないようにすることができる。
【００２１】
このため、バンド連結部材の両端部に外部から力が加わった場合でも、バンド連結部材の連結が解除されずに、時計の通常の使用状態において、時計ケースと時計バンドとが外れてしまうことがない。
【００２２】
また、本発明のバンド連結部材は、前記装飾部材が、時計ケースと同一の素材によって構成されていることを特徴とする。
また、本発明のバンド連結部材は、前記装飾部材が、金、銀、白金、ステンレス、チタン、チタン合金、黄銅、セラミック、宝石のうち、少なくともいずれかによって構成されていることを特徴とする。
【００２３】
このように、本発明のバンド連結部材において、装飾部材の素材としては、時計ケースや時計バンドのデザインに考慮して、様々な素材を使用することができる。
このため、時計自体のデザインバリエーションの拡大が図れ、また、時計自体の美観や高級感に優れた時計とすることができる。
【００２４】
また、本発明のバンド連結部材は、前記装飾部材の表面が、金属被膜処理もしくは非金属被膜処理によって表面処理されていることを特徴とする。
このように、装飾部材の表面を金属被膜処理や非金属被膜処理によって表面処理をすることによって、装飾部材としてプラスチックなどの高級感を有さない素材を用いた場合であっても、表面処理によって高級感を持たせることができる。
【００２５】
このため、時計自体のデザインバリエーションの拡大が図れ、また、時計自体の美観や高級感に優れた時計とすることができる。
また、本発明の時計は、上述するバンド連結部材を備えることを特徴とする。
【００２６】
本発明のバンド連結部材を時計に適用することによって、時計ケースと時計バンドが適確に連結されるので、バンド連結部材の両端部に外部から力が加わった場合でも、バンド連結部材の連結が解除されずに、時計の通常の使用状態において、時計ケースと時計バンドとが外れてしまうことがない。
【００２７】
また、時計ケースや時計バンドのデザインに応じて装飾部材を選択することができるので、時計自体のデザインバリエーションの拡大が図れ、また、時計自体の美観や高級感に優れた時計とすることができる。
【００２８】
また、本発明の時計は、前記時計の時計ケースに備わるバンド取付部には、前記フランジ部と嵌合する段付き孔が形成されていることを特徴とする。
このように、装飾部材のフランジ部と嵌合する段付き孔を時計ケースのバンド取付部に形成することによって、装飾部材はバンド取付部に形成される段付き孔の段部と係合し、バネ棒の付勢力によってフランジ部が段付き孔の段部を押圧した状態で取り付けられるの
で、時計ケースと時計バンドを適確に連結することができる。
【００２９】
また、本発明の時計は、前記時計の時計ケースに備わるバンド取付部には、段付き孔が形成されており、前記フランジ部と嵌合して固定する嵌合部材が前記段付き孔に挿着されていることを特徴とする。
【００３０】
また、本発明の時計は、前記嵌合部材が、固定用パッキンであることを特徴とする。
このように、段付き孔内に装飾部材のフランジ部と嵌合する固定用の嵌合部材が挿着されることによって、装飾部材自体に固定用部材を取り付けるための溝を設ける必要がなくなるため、装飾部材のフランジ部の大きさを小さくすることができ、装飾部材自体を小さくすることができる。
【００３１】
また、本発明の時計は、腕時計であることを特徴とする。
このように、本発明のバンド連結部材を腕時計に適用することによって、腕時計の時計ケースと時計バンドとを適確に連結することができ、腕時計を使用している状態において、時計ケースと時計バンドの連結が解除されることがなく、使用者の腕から腕時計が脱落することがない。
【００３２】
また、時計ケースや時計バンドのデザインに応じて、装飾部材を選択することができるので、腕時計自体のデザインバリエーションの拡大が図れ、また、腕時計自体の美観や高級感に優れた時計とすることができる。
【発明の効果】
【００３３】
本発明によれば、バンド連結部材が、バネ棒と２つの装飾部材に分割されているため、時計ケースや時計バンドのデザインにあわせて装飾部材を設計・作製することによって、既存のバネ棒を使用することができ、汎用性に富み、コストを低減することができる。
【００３４】
また、装飾部材に固定用部材が取り付けられているため、装飾部材が時計ケースの段付き孔から脱落しづらく、外部から力が加わった場合であっても、時計ケースと時計バンドの連結が解除されて外れてしまうことがない。
【００３５】
さらには、時計ケースや時計バンドのデザインに合わせて、装飾部材を選択することができるので、時計自体のデザインバリエーションの拡大が図れ、また、時計自体の高級感を損なうことがない。
【発明を実施するための最良の形態】
【００３６】
以下、本発明の実施の形態（実施例）を図面に基づいてより詳細に説明する。
（実施例１）
図１は、本発明のバンド連結部材を備えた時計として、腕時計に適用した実施例の腕時計の分解斜視図、図２は、図１のバンド連結部材の装飾部材の概要図、図３は、図１の腕時計を組み立てた状態の部分断面図である。
【００３７】
本発明のバンド連結部材２０は、バネ棒２２と２つの装飾部材２４からなり、バネ棒２２の両端部２２ａが装飾部材２４の挿入孔２４ａに挿入されるように構成されている。
また、装飾部材２４には、図２に示すように、フランジ部２４ｂが形成されており、挿入孔２４ａ深さＤは、フランジ部２４ｂの長さＬよりも短いことが好ましい。このようにすることによって、装飾部材２４に挿入孔２４ａを設けても、装飾部材２４に肉薄の箇所がなく、十分な強度を保つことができる。
【００３８】
このようなバンド連結部材２０を用いて、腕時計１０の時計ケース１２と時計バンド１
４とを連結する場合には、時計ケース１２に設けられたバンド取付部であるケース脚部１６の段付き孔１７にバンド連結部材２０の装飾部材２４がそれぞれ挿入されるように取り付けられる。
【００３９】
また、時計バンド１４には、バンド連結部材２０のバネ棒２２が挿入されるバネ棒貫通孔１５が設けられており、バネ棒貫通孔１５にバネ棒２２が挿通された状態で、バネ棒２２の両端部２２ａが装飾部材２４の挿入孔２４ａに挿入されるように取り付けられる。
【００４０】
なお、ケース脚部１６の段付き孔１７は、装飾部材２４のフランジ部２４ｂと嵌合する形状となっている。このため、装飾部材２４のフランジ部２４ｂが、段付き孔１７の段部１７ａと係合した状態で、バネ棒２２の付勢力によって装飾部材２４が外方に押圧されることによって、時計ケース１２と時計バンド１４をバンド連結部材２０によって連結することができる。
【００４１】
また、図３に示すように、装飾部材２４の先端部２４ｅがケース脚部１６の外方に突出するように、段付き孔１７を挿通している。このようにすることによって、装飾部材２４が、腕時計１０の視認者からこの先端部２４ｅが視認されることになり、腕時計１０全体としての装飾性を向上させることになる。
【００４２】
装飾部材２４を構成する素材としては、特に限定するものではないが、時計ケース１４を構成する素材と同一のものを用いることもできるし、さらに装飾性を考慮した場合には、金、銀、白金等の貴金属、ステンレス、チタン、チタン合金、黄銅などの金属または合金、ガラスや陶磁部材などのセラミック、貴石などの宝石などを用いることもできる。
【００４３】
また、装飾部材２４の表面を、例えば、乾式めっき、電解めっきなどのめっきや溶射などの金属被膜処理、プラスチックライニングや塗装、セラミックコーティングなどの非金属被膜処理といった表面処理をすることによって、装飾部材２４に装飾性を持たせることもできる。
【００４４】
なお、本実施例においては、装飾部材２４の先端部２４ｅが、視認者によって視認されるように、ケース脚部１６の外方に突出するように取り付けられているが、これに限らず、装飾部材２４の先端部２４ｅが、ケース脚部１６の外方面と同一平面となるように装飾部材２４を形成することもできるし、装飾部材２４の先端部２４ｅが、ケース脚部１６の段付き孔１７内に収まるように装飾部材２４を形成することもできる。
【００４５】
さらに、本実施例においては、有底の挿入孔１５を用いているが、この挿入孔１５は貫通孔となっていてもよい。この場合には、装飾部材２４は挿入孔１５が貫通した環状の部材となる。
【００４６】
（実施例２）
図４は、本発明の別の実施例のバンド連結部材の装飾部材の概要図、図５は、図４の装飾部材を用いたバンド連結部材を腕時計に適用し組み立てた状態の部分断面図である。
【００４７】
この実施例の腕時計１０は、図１から図３に示した実施例１の腕時計１０と基本的には同様な構成であり、同一の構成部材には、同一の参照番号を付して、その詳細な説明を省略する。
【００４８】
この実施例の装飾部材２４では、フランジ部２４ｂに溝２４ｃが形成されている。
このように、フランジ部２４ｂに溝２４ｃを設けることによって、装飾部材２４を、乾式めっきや電解めっき、セラミックコーティングなどの表面処理をする場合に、固定具を
この溝に取り付けて表面処理を行うことができる。
【００４９】
また、装飾部材２４を腕時計１０の段付き孔１７に取り付ける作業を行う場合に、ピンセットなどの挟持具によってこの溝２４ｃをつまむことによって、容易に、かつ、装飾部材２４の表面を傷つけることなく取付作業を行うことができる。
【００５０】
なお、この実施例のように装飾部材２４のフランジ部２４ｂに溝２４ｃを設けた場合には、ケース脚部１６の段付き孔１７内部に、溝２４ｃ全体が隠れるように取り付けられることが好ましい。
【００５１】
（実施例３）
図６は、本発明の別の実施例のバンド連結部材の装飾部材の概要図、図７は、図６の装飾部材を用いたバンド連結部材を腕時計に適用し組み立てた状態の部分断面図である。
【００５２】
この実施例の腕時計１０は、図１から図３に示した実施例１の腕時計１０と基本的には同様な構成であり、同一の構成部材には、同一の参照番号を付して、その詳細な説明を省略する。
【００５３】
この実施例の装飾部材２４では、実施例２の装飾部材２４と同様に、フランジ部２４ｂに溝２４ｃが形成されている。そして、この溝２４ｃにゴムや合成樹脂などの弾性変形可能な軟質材により構成される固定用パッキン２６（図６（Ａ））やワッシャー２８（図６（Ｂ））のような、固定用部材が取り付けられている。
【００５４】
図７に示すように、固定用部材（固定用パッキン２６）を溝２４ｃに取り付けた状態で、ケース脚部１６の段付き孔１７に装飾部材２４を挿入するように取り付けられる。
このように構成することによって、溝２４ｃの外周面と段付き孔１７の内周面との間で、径方向、すなわちバネ棒２２の軸線に対して直交する方向に沿って弾性圧縮され、固定用パッキン２６の弾発力により、バネ棒２２の軸方向に沿った装飾部材２４の移動が抑止され、装飾部材２４が段付き孔１７から外れにくくすることができる。なお、固定用部材としてワッシャー２８を用いた場合にも、同様の理由により、装飾部材２４が段付き孔１７から外れにくくすることができる。
【００５５】
このため、装飾部材２４に外部から力が加わった場合でも、バンド連結部材２０が脱落しづらくなり、腕時計１０の通常の使用状態において、時計ケース１２と時計バンド１４とが容易に外れてしまうことがなくなる。
【００５６】
（変形例１）
図８は、本発明の実施例３の変形例のバンド連結部材の装飾部材の概要図である。
【００５７】
図８に示すように、この変形例の装飾部材２４では、フランジ部２４ｂに２つの溝２４ｃ，２４ｄが形成されており、溝２４ｃには固定用部材として固定用パッキン２６が取り付けられている。
【００５８】
このように、固定用パッキン２６を取り付けるための溝２４ｃの他に、溝２４ｄを形成することによって、装飾部材２４を腕時計１０の段付き孔１７に取り付ける作業を行う場合に、ピンセットなどの挟持具によってこの溝をつまむことによって、容易に、かつ、装飾部材２４の表面を傷つけることなく取付作業を行うことができる。
【００５９】
（実施例４）
図９は、本発明の別の実施例のバンド連結部材を腕時計に適用し組み立てた状態の部分
断面図である。
【００６０】
この実施例の腕時計１０は、図１から図３に示した実施例１の腕時計１０と基本的には同様な構成であり、同一の構成部材には、同一の参照番号を付して、その詳細な説明を省略する。
【００６１】
この実施例の腕時計１０では、ケース脚部１６の段付き孔１７内部に、装飾部材２４のフランジ部２４ｂと嵌合する形状をした固定用の嵌合部材３０が挿着されている。
このように、嵌合部材３０を段付き孔１７内部に挿着した状態で、装飾部材２４を段付き孔１７に挿入するように取り付けることによって、装飾部材２４が段付き孔１７から外れにくくすることができる。
【００６２】
あるいは、あらかじめ装飾部材２４に嵌合部材３０を装着した状態で、段付き孔１７に圧入してもよい。この場合には、溝２４ｃをピンセットなどの挟持具によって挟持可能とするために、嵌合部材３０は、溝２４ｃを塞がないように配置することが好ましい。
【００６３】
なお、嵌合部材３０としては、特に限定するものではないが、ゴムや合成樹脂などの弾性変形可能な軟質材により構成される固定用パッキンやワッシャーなどを用いることができる。
【００６４】
このため、装飾部材２４に外部から力が加わった場合でも、バンド連結部材２０が脱落しづらくなり、腕時計１０の通常の使用状態において、時計ケース１２と時計バンド１４は容易に脱落することがなくなる。
【００６５】
また、実施例３のように、固定用部材（固定用パッキン２６やワッシャー２８）のための溝２４ｃと、ピンセット等の挟持具による挟持用の溝２４ｄを別々に形成する必要がなくなるため、フランジ部２４ｂを小さくすることができ、装飾部材２４自体も小さくすることができる。
【００６６】
以上、本発明の好ましい実施の態様を説明してきたが、本発明はこれに限定されることはなく、例えば、上記実施例では、本発明の装飾部材を腕時計に適用したが、時計付き装身具などにも用いることもでき、本発明の目的を逸脱しない範囲で種々の変更が可能である。
【図面の簡単な説明】
【００６７】
【図１】図１は、本発明のバンド連結部材を備えた時計として、腕時計に適用した実施例の腕時計の分解斜視図である。
【図２】図２は、図１のバンド連結部材の装飾部材の概要図である。
【図３】図３は、図１の腕時計を組み立てた状態の部分断面図である。
【図４】図４は、本発明の別の実施例のバンド連結部材の装飾部材の概要図である。
【図５】図５は、図４の装飾部材を用いたバンド連結部材を腕時計に適用し組み立てた状態の部分断面図である。
【図６】図６は、本発明の別の実施例のバンド連結部材の装飾部材の概要図である。
【図７】図７は、図６の装飾部材を用いたバンド連結部材を腕時計に適用し組み立てた状態の部分断面図である。
【図８】図８は、本発明の実施例３の変形例のバンド連結部材の装飾部材の概要図である。
【図９】図９は、本発明の別の実施例のバンド連結部材を腕時計に適用し組み立てた状態の部分断面図である。
【図１０】図１０は、従来のバネ棒を用いた時計ケースと時計バンドの連結構造を示す部分断面図である。
【図１１】図１１は、従来のバネ棒を用いた時計ケースと時計バンドの連結構造を示す部分断面図である。
【図１２】図１２は、従来のバネ棒を用いた時計ケースと時計バンドの連結構造を示す部分断面図である。
【符号の説明】
【００６８】
１０      腕時計
１２      時計ケース
１４      時計バンド
１４      時計ケース
１４      時計バンド
１５      バネ棒貫通孔
１６      ケース脚部
１７      段付き孔
１７ａ    段部
２０      バンド連結部材
２２      バネ棒
２２ａ    端部
２４      装飾部材
２４ａ    挿入孔
２４ｂ    フランジ部
２４ｃ    溝
２４ｄ    溝
２４ｅ    先端部
２６      固定用パッキン
２８      ワッシャー
３０      嵌合部材
１００    腕時計
１０１    時計ケース
１０２    時計バンド
１０３    バネ棒
１０４    バンド取付部
１０５    貫通孔
１０８    装飾部材
２００    腕時計
２０１    胴
２０１ｂ  かん穴
２０２    ピン部材
２０３    ばね棒
３００    腕時計
３０１    時計ケース
３０２    時計バンド
３０４    バンド取付部
３０６    ばね棒
３０６ｂ  連結ピン
３０８    取付孔
３０９    軟質部材
３１０    挿入穴
【図１】
2010119586.tif 000003
【図２】
2010119586.tif 000004
【図３】
2010119586.tif 000005
【図４】
2010119586.tif 000006
【図５】
2010119586.tif 000007
【図６】
2010119586.tif 000008
【図７】
2010119586.tif 000009
【図８】
2010119586.tif 000010
【図９】
2010119586.tif 000011
【図１０】
2010119586.tif 000012
【図１１】
2010119586.tif 000013
【図１２】
2010119586.tif 000014